(57)【要約】【課題】この発明は、建築中の建物の上側を覆うテントや、雨や日除けのために張られる一般テント等に使用されるテント用シートに関する。【解決手段】この発明のテント用シート１は、複数の横方向に長尺な可撓性のシート帯２を勾配上側のシート帯２の下端部が勾配下側のシート帯２の上端部の上に段重ねして勾配方向に並列して配置されるように複数の固着ライン３に固着し、この各シート帯２を横方向に固着ライン３によって区分して形成される多数のシート帯区分４は隣接する２つの固着ライン３に緊張して張るように固着されたシート帯緊張部５と、該シート帯緊張部５の勾配方向の上下側において該シート帯緊張部５に対して弛緩するように固着されたシート帯弛緩部６とを有することにより、風抜き口７を形成してなるテント用シート１において、前記シート帯弛緩部６の裏面にネット８が設けられてなるものである。【選択図】図５
2008031691.tif 000002
【特許請求の範囲】
【請求項１】
複数の横方向に長尺な可撓性のシート帯を勾配上側のシート帯の下端部が勾配下側のシート帯の上端部の上に段重ねして勾配方向に並列して配置されるようにこれらシート帯と直交し且つ所定間隔を空けて配置されている複数の固着ラインに固着し、この各シート帯を横方向に固着ラインによって区分して形成される多数のシート帯区分は隣接する２つの固着ラインに緊張して張るように固着されたシート帯緊張部と該シート帯緊張部の勾配方向の上下側において該シート帯緊張部に対して弛緩するように固着されたシート帯弛緩部とを有することにより、シート帯緊張部とシート帯弛緩部の段重ねした箇所において風抜き口を形成してなるテント用シートにおいて、
前記シート帯弛緩部の裏面にネットが設けられたことを特徴とするテント用シート。
【請求項２】
前記テント用シートの勾配面において千鳥状に、前記シート帯弛緩部が設けられたことを特徴とする請求項１記載のテント用シート。
【発明の詳細な説明】
【技術分野】
【０００１】
本発明は、建築中の建物の上側を覆うテントや、雨や日除けのために張られる一般テント等に使用されるテント用シートに関する。
【背景技術】
【０００２】
建築現場において養生のために足場の上部等にテントを張設することや、雨や日除けのためにパイプ等で組んだ骨組みにテントを張設することは周知である。例えば、木造住宅を建築する際には、屋根が施工されるまで降雨により柱材等が濡れることを防いだり、日除けとして、建築中の建物を覆うテントが張設される。このようなテントは、足場や建物に適宜固定されて張設されているが、該テントが風を受けた場合、その風圧が足場等に作用するが、風が強い場合には足場や建物が損壊するおそれもあるので、テントを外すようにしていた。
【０００３】
これに対し、開口を設けて風を逃がすテント用シートが考案されている。例えば、図９に示すように、勾配上側のシート帯１００A，１００Bの下端部が勾配下側のシート帯１００B，１００Cの上端部の上に夫々段重ねされて勾配方向に並列して配置され、各シート帯１００と直交し且つ所定間隔を空けて配置されている複数の固着ライン１０１により、シート帯１００Bを勾配上下側に隣接するシート帯１００A，１００Cに対して弛ませることでシート帯弛緩部Ｕを形成し、また、これにより風抜き口１０２AＢ，１０２BＣが形成されるように、シート帯１００A，１００B，１００Cが固着されたテント用シート１０３も考案されている。（例えば、特許文献１参照）
【０００４】
【特許文献１】特開２００５−３３０７５６号公報
【発明の開示】
【発明が解決しようとする課題】
【０００５】
しかし、これらの考案によるテント用シートにおいては、雨が降った際には、図１０に示すように、シート帯弛緩部Ｕに雨水Ｗが溜まるという問題が生じる可能性がある。そのため、前述のように溜まった雨水Ｗを作業者が、自ら取除く必要があると共に、溜まった雨水Ｗの重さに耐えることができなくなったシート帯が破損する、さらには、テント用シートを取付けた足場が損壊する、という問題が生じる可能性がある。
【０００６】
本発明は、これらの点に鑑みてなされたものであり、敷地に組まれた足場等に所定勾配で張設されて建築中の建物の上側を覆うテントや、雨や日除けとして使用される一般テントにおいて、雨水が浸入することなく、吹き上げる風及び吹きつける風のいずれに対しても風を逃がすことができ、さらに、テント用シート上面に雨水が溜まることのないテント用シートを提供することを目的とする。
【課題を解決するための手段】
【０００７】
上記目的を達成するために、請求項１記載のテント用シートは、複数の横方向に長尺な可撓性のシート帯を勾配上側のシート帯の下端部が勾配下側のシート帯の上端部の上に段重ねして勾配方向に並列して配置されるようにこれらシート帯と直交し且つ所定間隔を空けて配置されている複数の固着ラインに固着し、この各シート帯を横方向に固着ラインによって区分して形成される多数のシート帯区分は隣接する２つの固着ラインに緊張して張るように固着されたシート帯緊張部と該シート帯緊張部の勾配方向の上下側において該シート帯緊張部に対して弛緩するように固着されたシート帯弛緩部とを有することにより、シート帯緊張部とシート帯弛緩部の段重ねした箇所において風抜き口を形成してなるテント用シートにおいて、前記シート帯弛緩部の裏面にネットが設けられたことを特徴とするテント用シート。
【０００８】
請求項２記載のテント用シートは、前記テント用シートの勾配面において千鳥状に、前記シート帯弛緩部が設けられたことを特徴とする請求項１記載のテント用シート。
【発明の効果】
【０００９】
請求項１記載のテント用シートは、複数の横方向に長尺な可撓性のシート帯を勾配上側のシート帯の下端部が勾配下側のシート帯の上端部の上に段重ねして勾配方向に並列して配置したので、勾配に従って流れ落ちる雨水がシート帯間から内側へ浸入することがなく、且つ、シート帯緊張部とシート帯弛緩部の段重ねした箇所において風抜き口を形成したので、吹き上げる風に対しては該シート帯と勾配下側のシート帯との間に形成された風抜き口が開口して風を逃がし、吹きつける風に対しては該シート帯と勾配上側のシート帯との間に形成された風抜き口が開口して風を逃がす。これにより、吹き上げる風及び吹きつける風のいずれに対しても風を逃がしてテント用シートに作用する風圧を軽減することができ、また、風抜き口が開口した状態でも雨水が浸入しない。さらに、前記シート帯弛緩部の裏面にネットが設けられたことにより、該シート帯におけるシート帯弛緩部の弛みをネットが規制するため、勾配に従って流れる雨水が該シート帯弛緩部に溜まることがなく、雨水がシート帯表面をスムーズに流れる落ちる。
【００１０】
請求項２記載のテント用シートは、前記テント用シートの勾配面において千鳥状に、前記シート帯弛緩部が設けられることにより、テント用シートの全面に平均して多数の風抜き口を形成することができ、効果を最大に発揮できる。
【発明を実施するための最良の形態】
【００１１】
この発明のテント用シート１における最良の実施形態について、以下図５に基づいて説明する。この実施例のテント用シート１は、複数の横方向に長尺な可撓性のシート帯２を勾配上側のシート帯２の下端部が勾配下側のシート帯２の上端部の上に段重ねして勾配方向に並列して配置されるようにこれらシート帯２と直交し且つ所定間隔を空けて配置されている複数の固着ライン３に固着し、この各シート帯２を横方向に固着ライン３によって区分して形成される多数のシート帯区分４は隣接する２つの固着ライン３に緊張して張るように固着されたシート帯緊張部５と該シート帯緊張部５の勾配方向の上下側において該シート帯緊張部５に対して弛緩するように固着されたシート帯弛緩部６とを有することにより、シート帯緊張部５とシート帯弛緩部６の段重ねした箇所において風抜き口７を形成してなるテント用シート１において、前記シート帯弛緩部６の裏面にネット８が設けられてなるものである。
【００１２】
そして、必要に応じて、前記テント用シート１の勾配面において千鳥状に、前記シート帯弛緩部６が設けられている。
【００１３】
テント用シート１は、図１に示すように、複数の可撓性のシート帯２Ａ〜２Ｊ，２Ｘが一部重ねられて勾配方向に並列されており、本願実施例における、本テント用シート１は、例えば、切妻屋根状に張設するものであるから、５つのシート帯２Ａ〜２Ｅと、５つのシート帯２Ｆ〜２Ｊとが各勾配面を夫々形成するように構成され、棟に相当する中央部にシート帯２Ｘが設けられている。テント用シート１の棟に相当する中央部が足場９間に架設されたワイヤ１０ａ上に載せられて、又は、テント用シート１の略中央部に設けられたハト目や布テープ等の連結部１１を介してカラビナ等で吊り下げられて、ワイヤ１０ａから各勾配面が垂れ下がるように切妻屋根状にテント用シート１が張られる。そして、軒先に相当する縁部や、固着ライン３上に適宜設けられた、ハト目や布テープ等の連結部１１にもワイヤ１０ｂが挿通されて足場９や建築物（不図示）に固定されている。また、連結部１１の取付け位置や、数などはテント用シート１の大きさや形状、また、足場９の大きさや形状等によって適宜変更可能である。
【００１４】
また、テント用シート１はワイヤ１０ａに対して摺動可能であり、各シート帯２Ａ〜２Ｊは可撓性であるので、テント用シート１の縁部を足場９から外して一方へ折り畳むように摺動させることにより、テント用シート１で覆われていた足場９の上部を開放することができる。なお、このようなテント用シート１の張設方法は一例であって、必ずしも切妻屋根状に張設する必要はなく、所定の勾配で張設するのであれば片流れ屋根や差掛け屋根のような形状にテント用シート１を張設してもよい。
【００１５】
シート帯２Ａ〜２Ｊ，２Ｘは、織布、樹脂シート若しくは織布に樹脂をコーティングしたもの等からなり、防水性を有し且つ軽量のものが好適である。本願実施例では、例えば約９００ｍｍ幅の１０枚のシート帯２Ａ〜２Ｊを５枚ずつで１つの勾配面としているが、シート帯２の幅や勾配面当りのシート帯２の並列数は適宜変更可能である。また、５枚のシート帯２Ａ〜２Ｅにより構成される勾配面と、他の５枚のシート帯２Ｆ〜２Ｊにより構成される勾配面とは同様であるので、切妻屋根状に張設されるテント用シート１の片側の勾配面を構成する各シート帯２Ａ〜２Ｅを例に説明する。
【００１６】
本願実施例における各シート帯２Ａ〜２Ｅは、例えば図２に示すように、勾配方向に並列して、即ち長手方向が勾配方向と直交するようにして、勾配上側から勾配下側へシート帯２Ａ，２Ｂ，２Ｃ，２Ｄ，２Ｅの順序で配置されており、勾配上側のシート帯２Ａの下端部が勾配直下側のシート帯２Ｂの上端部の上に段重ねされ、該シート帯２Ｂの下端部が更に勾配直下側のシート帯２Ｃの上端部の上に段重ねされ、シート帯２Ｃ，２Ｄ，２Ｅも夫々同様に段重ねされている。各シート帯２Ａ〜２Ｅの重ね代は、勾配面に従って流れ落ちる雨水が重ね合わせ部分からテント用シート１の内側へ浸入せず、且つ、風抜き口７が開口し易いように設定し、例えば本願実施例のように約９００ｍｍ幅の各シート帯２Ａ〜２Ｅであれば約３００ｍｍ程度が好適であるが、これらの重ね代は適宜変更可能である。
【００１７】
このように、各シート帯２が夫々段重ねされて勾配方向に並列に配置された各シート帯２Ａ〜２Ｅは、図２に示すように、所定間隔、例えば約９００ｍｍ間隔で、こららシート帯と直交し且つ所定間隔を空けて配置されている複数の固着ライン３に固着されることにより一体とされるが、図５に示すように、この各シート帯２を横方向に固着ライン３によって区分して形成される多数のシート帯区分４は、隣接する２つの固着ライン３に緊張して張るように固着されたシート帯緊張部５と該シート帯緊張部５の勾配方向の上下側において該シート帯緊張部６に対して弛緩するように固着されている。詳細には、図５に示すように、シート帯２Ｃの固着ライン３で挟まれたシート帯区分４２Ｃの長手方向の距離を、その勾配上側のシート帯２Ｂのシート帯区分４２Ｂ及び勾配下側のシート帯２Ｄのシート帯区分４２Ｄの長手方向の距離である約９００ｍｍより大きくすることでシート帯区分４２Ｃに、シート帯弛緩部６を形成している。これにより、シート帯２Ｃにおけるシート帯弛緩部６の上端部とシート帯２Ｂにおけるシート帯緊張部５の下端部とを段重ねした箇所、及びシート帯２Ｃにおけるシート帯弛緩部６の下端部とシート帯２Ｄにおけるシート帯緊張部５の上端部とを段重ねした箇所に開口が形成され、該開口が夫々風抜き口７ＢＣ，７ＣＤとなっている。
【００１８】
シート帯２Ｃでは、各固着ライン間において間欠して、即ち、図２に示すように、シート帯区分４４Ｃ，４６Ｃにおいて、前記シート帯区分４２Ｃと同様のシート帯弛緩部６が設けられ、その上端部及び下端部に風抜き口７が夫々形成されている。その他のシート帯２Ａ，２Ｂ，２Ｄ，２Ｅでも同様のシート帯弛緩部６が設けられているが、各シート帯弛緩部６は、シート帯２Ａ〜２Ｅにより構成される勾配面において千鳥状に設けられている。即ち、シート帯２Ａ及びシート帯２Ｅでは、シート帯２Ｃと同様に、シート帯区分４２Ａ，４４Ａ，４６Ａ、及びシート帯区分４２Ｅ，４４Ｅ，４６Ｅにシート帯弛緩部６が設けられ、シート帯２Ｂ及びシート帯２Ｄでは、シート帯２Ａ，２Ｃ，２Ｅにおいてシート帯弛緩部６が設けられない間欠部分であるシート帯区分４１Ｂ，４３Ｂ，４５Ｂ，４７Ｂ、及びシート帯区分４１Ｄ，４３Ｄ，４５Ｄ，４７Ｄにシート帯弛緩部６が設けられている。そして、各シート帯２Ａ〜２Ｅのシート帯弛緩部６における弛み部Ｙの寸法は風抜き口７とする開口の大きさを考慮して設定され、本願実施例においては、例えば約１０００ｍｍとなっているが、これらの寸法は適宜変更することができる。
【００１９】
ネット８は、図４に示すように、シート帯弛緩部６の裏面に設けられている。そして、本願実施例においてネット８は、例えば樹脂製若しくは布製からなり、その網目の大きささが例えば約１０ｍｍ角程度のネットが好適である。さらに本願実施例においては、図４に示すネット８の弛み部Ｚは、シート帯弛緩部６における弛み部Ｙの寸法よりも若干短く、例えば、約９５０ｍｍに形成されている。そして、これらのネット８の取付け位置は、図４に示すように、風抜き口７の開口を妨げることがないように、ネット８がシート帯弛緩部６における弛み部Ｙよりも勾配下方向に設けられることが好ましい。しかしネット８の取付け位置及び大きさは、本願実施例に限定されるものではなく、シート帯２の大きさや、勾配等によって適宜変更可能である。
【００２０】
また、ネット８を上述のように設けない時には、図８（ａ）に示すように、雨水W
の重みによりシート帯弛緩部６におけるシート帯２が弛み、雨水Ｗが該シート帯弛緩部６に溜まるという問題が生じる。しかし、上述のようにネット８を設けた際には、図８（ｂ）に示すように、該ネット８によりシート帯２におけるシート帯弛緩部６の弛みが規制されるため、雨水Ｗがシート帯２上を勾配に従って流れる。そのため、シート帯弛緩部６に、雨水Ｗが溜まることがなく、また、ネット８の網目から風が通るため、風の影響を受けることもない。
【００２１】
このように、本願実施例においては、図２及び図３に示すように、千鳥状にシート帯弛緩部６が形成され、各シート帯２Ａ〜２Ｅ及びネット８が各固着ライン３に縫合するようにして固着されている。そして、図には詳細に示していないが、切妻屋根状に張設されるテント用シート１の他の勾配面を構成するシート帯２Ｆ〜２Ｊも同様に、千鳥状にシート帯弛緩部６が形成され、各固着ライン３に縫合するようにして固着されている。また、各勾配面の最上側となるシート帯２Ａとシート帯２Ｆとは、図２及び図３に示すように、シート帯２Ａ，２Ｆの上端部にシート帯２Xが段重ねされて各固着ライン３に縫合するようにして固着され、１枚のテント用シート１が構成されている。なお、本願実施例では、各シート帯２Ａ〜２Ｊ，２Ｘを縫合することにより固着ライン３に縫合するようにして固着しているが、接着剤による接着や熱融着等の他の固着手段を用いてもよい。
【００２２】
以下、図５に示す、シート帯区分４２Ｂ，４２Ｃ，４２Ｄにおける風抜き口７ＢＣ，７ＣＤを例に、吹き上げる風及び吹きつける風の抜け方及び雨水の流れ方について説明する。
【００２３】
図５に示すように、シート帯２Ｃのシート帯区分４２Ｃにシート帯弛緩部６を形成し、シート帯２Ｃのシート帯弛緩部６の上端部と、シート帯２Ｂのシート帯緊張部５の下端部との段重ねした箇所、及びシート帯２Ｃのシート帯弛緩部６の下端部と、シート帯２Ｄのシート帯緊張部５の上端部と段重ねした箇所に夫々風抜き口７ＢＣ，７ＣＤが形成されている。テント用シート１の内側から風が吹き上げた場合には、各シート帯２Ｂ，２Ｃ，２Ｄが風を受けて上側へ孕もうとするが、図６に示すように、風抜き口７ＢＣは、風圧によりシート帯区分４２Ｃのシート帯２Ｃの上端部がシート帯区分４２Ｂのシート帯２Ｂの下端部に押し付けられるので殆ど開口しない状態となる。したがって、風抜き口７ＢＣを風は殆ど通過しない。一方、風抜き口７ＣＤは、風圧によりシート帯区分４２Ｃのシート帯２Ｃの下端部が上側へ孕み、シート帯区分４２Ｄのシート帯２Ｄの上端部に対する弛み分だけ開口した状態となる。したがって、テント用シート１の内側から吹き上げる風は、風抜き口７ＣＤを通過してテント用シート１の外側へ抜ける。
【００２４】
逆に、テント用シート１の外側から風が吹きつけた場合には、各シート帯２Ｂ，２Ｃ，２Ｄが風を受けて下側へ孕もうとするが、図７に示すように、風抜き口７ＢＣは、風圧によりシート帯区分４２Ｃのシート帯２Ｃの上端部が下側へ孕み、シート帯区分４２Ｂのシート帯２Ｂの下端部に対する弛み分だけ開口した状態となる。したがって、テント用シート１の外側から吹きつける風は、風抜き口７ＢＣを通過してテント用シート１の内側へ抜ける。一方、風抜き口７ＣＤは、風圧によりシート帯区分４２Ｃのシート帯２Ｃの下端部がシート帯区分４２Ｄのシート帯２Ｄの上端部に押し付けられるので殆ど開口しない状態となる。したがって、風抜き口７ＣＤを風は殆ど通過しない。このように、テント用シート１の内側から吹き上げる風に対しては風抜き口７ＣＤが開口して風を逃がし、外側から吹きつける風に対しては風抜き口７ＢＣが開口して風を逃がすので、吹き上げる風及び吹きつける風のいずれに対してもテント用シート１に作用する風圧を軽減することができる。
【００２５】
また、各シート帯２Ｂ，２Ｃ，２Ｄは、勾配上側のシート帯２の下端部が勾配下側のシート帯２の上端部の上に段重ねされているので、勾配に従って流れ落ちる雨水が各シート帯２間から内側へ浸入することがない。そして、テント用シート１の内側から風が吹き上げている場合には、図６に示すように、風抜き口７ＢＣは殆ど開口していないので雨水が風抜き口７ＢＣから内側へ浸入することはなく、また、風抜き口７ＣＤは開口しているが、シート帯区分４２Ｃにおいてシート帯２Ｃの下端部は上側へ孕んでいるので、雨水は風抜き口７ＣＤの両側へ流れて風抜き口７ＣＤから内側へ浸入することもない。仮に、風抜き口７ＣＤに雨水が流れたとしても、該雨水は勾配下側のシート帯区分４２Ｄのシート帯２Ｄに受けられて、更に勾配に従って流れ落ちる。
【００２６】
一方、テント用シート１の外側から風が吹きつけている場合には、図７に示すように、風抜き口７ＢＣは開口しているが、該風抜き口７ＢＣから流れ落ちた雨水は勾配下側のシート帯区分４２Ｃのシート帯２Ｃに受けられて、更に勾配に従って流れ落ちるので、雨水が風抜き口７ＢＣから内側へ浸入することはなく、また、風抜き口７ＣＤは、殆ど開口していないので雨水が風抜き口７ＣＤから内側へ浸入することもない。このように、吹き上げる風又は吹きつける風により風抜き口７ＢＣ，７ＣＤが開口した状態であっても、雨水がテント用シート１の内側へ浸入することはない。
【００２７】
さらに、図５に示すように、シート帯弛緩部６の裏面にネット８が設けられているため、図８（ｂ）に示すように、ネット８がシート帯２におけるシート帯弛緩部６の弛みを規制し、勾配に従って流れる雨水Wが、その途中で該シート帯弛緩部６に溜まることなくスムーズに流れ落ちる。これにより、溜まった雨水Ｗを作業者が、自ら取除く必要がないと共に、溜まった雨水Ｗの重さに耐えることができなくなったシート帯２が破損する、さらには、テント用シート１を取付けた足場９が損壊する、という問題が生じることがない。
【００２８】
他の風抜き口７についても同様なので詳細には説明しないが、テント用シート１の各勾配面においてシート帯区分４に千鳥状にシート帯弛緩部６が設けられることにより、各勾配面の全面に平均して多数の風抜き口７が形成されているので、吹き上げる風又は吹きつける風のいずれに対してもテント用シート１の全面から風を逃がすことができる。
【産業上の利用可能性】
【００２９】
なお、本実施の形態では、テント用シート１を住宅建築において養生テントとして使用する場合を例に説明したが、本発明に係るテント用シート１の使用が養生テントに限定されるものでないことは当然である。また、本実施の形態では、風抜き口７を勾配面において千鳥状に形成したが、テント用シート１の使用目的に応じて風抜き口７を形成する箇所や数を適宜変更できることも当然である。
【図面の簡単な説明】
【００３０】
【図１】本願実施例に係るテント用シートを足場に張設した状態を示す概略図
【図２】本願実施例に係るテント用シートの一方の勾配面の構成を示す表面図
【図３】本願実施例に係るテント用シートの一方の勾配面の構成を示す裏面図
【図４】本願実施例に係るテント用シートの裏側からの斜視図
【図５】本願実施例に係るテント用シートの固着ライン間の風抜き口を示す斜視図
【図６】本願実施例に係るテント用シートの吹き上げる風を受けた場合の風抜き口を示す斜視図
【図７】本願実施例に係るテント用シートの吹きつける風を受けた場合の風抜き口を示す斜視図
【図８】従来及び本願実施例に係るテント用シートの断面図
【図９】従来技術に係るテント用シートの斜視図
【図１０】従来技術に係るテント用シートの雨天時の斜視図
【符号の説明】
【００３１】
１      テント用シート
２      シート帯
３      固着ライン
４      シート帯区分
５      シート帯緊張部
６      シート帯弛緩部
７      風抜き口
８      ネット
Y      弛み部
【図１】
2008031691.tif 000003
【図２】
2008031691.tif 000004
【図３】
2008031691.tif 000005
【図４】
2008031691.tif 000006
【図５】
2008031691.tif 000007
【図６】
2008031691.tif 000008
【図７】
2008031691.tif 000009
【図８】
2008031691.tif 000010
【図９】
2008031691.tif 000011
【図１０】
2008031691.tif 000012